(57)【要約】【課題】電力消費を抑制して音声の分析をすることのできる、または、異常時などの必要な期間の音声の分析を的確に行うことのできる音声分析装置を提供する。【解決手段】測定部は、音声信号に基づき音量を表す数値の時系列データを出力する。演算部は、前記測定部が出力する前記時系列データを分析するための演算を行う。演算部は、測定部が出力する数値である測定値が分析対象と判断される範囲である分析対象範囲に含まれる第１状態の場合に前記演算を行い、前記測定値が前記分析対象範囲に含まれない第２状態の場合に前記演算を行わない。【選択図】図１
2020034636.tif 000002
【特許請求の範囲】
【請求項１】
音声信号を取得する音声取得部と、
前記音声信号に基づき音量を表す数値の時系列データを出力する測定部と、
前記測定部が出力する前記時系列データを分析するための演算を行う演算部と、
を具備し、
前記演算部は、前記測定部が出力する数値である測定値が分析対象と判断される範囲である分析対象範囲に含まれる第１状態の場合に前記演算を行い、前記測定値が前記分析対象範囲に含まれない第２状態の場合に前記演算を行わない、
ことを特徴とする音声分析装置。
【請求項２】
所定のタイミングにおいて前記測定部が出力する数値を記憶する測定値記憶部、
をさらに具備し、
前記演算部は、前記測定値から前記測定値記憶部に記憶された数値を減じて得られる差分、あるいは当該差分の絶対値が、所定値以上であるか否かに応じて、前記測定値が前記分析対象範囲に含まれるか否かを判定する、
請求項１に記載の音声分析装置。
【請求項３】
所定の閾値を記憶する閾値記憶部、
をさらに具備し、
前記演算部は、前記閾値に基づいて、前記測定値が前記分析対象範囲に含まれるか否かを判定するものである、
請求項１または２に記載の音声分析装置。
【請求項４】
前記測定値に関する正常値を記憶する正常値記憶部、
をさらに具備し、
前記演算部は、前記測定部が出力した過去の前記測定値に基づいて正常値を決定するとともに前記正常値を前記正常値記憶部に書き込み、前記第１状態から前記第２状態に遷移するか否かを判定する場合には、前記正常値記憶部から読み出した前記正常値と、前記測定値との関係に基づく判断を行う、
請求項２に従属する請求項３に記載の音声分析装置。
【請求項５】
前記測定部が出力する前記時系列データと、前記演算部による演算結果とを出力する出力部を具備する、
請求項１から４までのいずれか一項に記載の音声分析装置。
【請求項６】
前記演算部を稼働させるときにオンとし前記演算部を不稼働とさせるときにオフとする演算スイッチと、
前記第１状態の場合に前記演算スイッチをオンにして、前記第２状態の場合に前記演算スイッチをオフにするよう制御する制御部と、
を具備し、
前記演算部は、前記演算スイッチのオンに基づいて前記演算を行い、前記演算スイッチのオフに基づいて前記演算を行わない、
請求項１に記載の音声分析装置。
【請求項７】
音声信号を取得する音声取得過程と、
前記音声信号に基づき音量を表す数値の時系列データを出力する測定過程と、
前記測定過程で出力する前記時系列データを分析するための演算を行う演算過程と、
を含み、
前記演算過程は、前記測定過程が出力する数値である測定値が分析対象と判断される範囲である分析対象範囲に含まれる第１状態の場合に前記演算を行い、前記測定値が前記分析対象範囲に含まれない第２状態の場合に前記演算を行わない、
ことを特徴とする音声分析方法。
【請求項８】
コンピューターを、
音声信号を取得する音声取得部と、
前記音声信号に基づき音量を表す数値の時系列データを出力する測定部と、
前記測定部が出力する前記時系列データを分析するための演算を行う演算部と、
を具備し、
前記演算部は、前記測定部が出力する数値である測定値が分析対象と判断される範囲である分析対象範囲に含まれる第１状態の場合に前記演算を行い、前記測定値が前記分析対象範囲に含まれない第２状態の場合に前記演算を行わない、
音声分析装置として機能させるためのプログラム。
【請求項９】
コンピューターを、
音声信号を取得する音声取得部と、
前記音声信号に基づき音量を表す数値の時系列データを出力する測定部と、
前記測定部が出力する前記時系列データを分析するための演算を行う演算部と、
を具備し、
前記演算部は、前記測定部が出力する数値である測定値が分析対象と判断される範囲である分析対象範囲に含まれる第１状態の場合に前記演算を行い、前記測定値が前記分析対象範囲に含まれない第２状態の場合に前記演算を行わない、
音声分析装置として機能させるためのプログラム、を記録したコンピューター読み取り可能な記録媒体。
【発明の詳細な説明】
【技術分野】
【０００１】
本発明は、音声分析装置、音声分析方法、プログラム、および記録媒体に関する。
【背景技術】
【０００２】
音声を分析することによってその音声が発せられた状況を分析する技術が用いられている音声分析装置は、周辺環境の音声を取得し、一例として、その音声の周波数解析を行うことによって、周辺環境における異常原因の究明を行う監視装置として機能する。
【０００３】
音声分析装置の一構成例は、次のとおりである。音声分析装置に接続されたマイクロフォンが、測定対象である音源からの音声を取得する。音声分析装置に設けられた測定部が、取得された音声の音量を測定する。測定部は、音量レベルの数値の時系列を出力する。この数値の時系列のデータを対象として、演算部が解析処理を行う。具体的には、演算部は、フーリエ変換等の処理を行い、取得された音声に含まれる周波数帯域ごとの音量を解析する。即ち、演算部は、周波数解析の処理を行う。測定部から出力される音量のデータ、および演算部から出力される周波数解析の結果のデータは、出力部から、音声分析装置の外部に出力される。
【０００４】
特許文献１には、被推定原信号と雑音とが重畳された入力信号を基に周波数解析処理を行い、周波数解析結果に基づいて被推定原信号を推定する装置が記載されている。
【先行技術文献】
【特許文献】
【０００５】
【特許文献１】特開平０９−００６３９１号公報
【発明の概要】
【発明が解決しようとする課題】
【０００６】
このような音声分析装置は、常時稼働させる場合もあり、演算部において多くの計算量を必要とするため、電力が多く消費されるという問題があった。また、異常発生が認識されたときにユーザーが音声分析装置の稼働を開始させる場合もあり、異常発生後、ユーザーが稼働させるまでの間の遅延が発生するため、異常発生直後における音声の周波数解析が行われないという問題があった。
【０００７】
本発明は、上記の課題認識に基づいて行なわれたものであり、電力消費を抑制して音声の分析をすることのできる、または、異常時などの必要な期間の音声の分析を的確に行うことのできる音声分析装置、音声分析方法、プログラム、および記録媒体を提供しようとするものである。
【課題を解決するための手段】
【０００８】
［１］上記の課題を解決するため、本発明の一態様による音声分析装置は、音声信号を取得する音声取得部と、前記音声信号に基づき音量を表す数値の時系列データを出力する測定部と、前記測定部が出力する前記時系列データを分析するための演算を行う演算部と、を具備し、前記演算部は、前記測定部が出力する数値である測定値が分析対象と判断される範囲である分析対象範囲に含まれる第１状態の場合に前記演算を行い、前記測定値が前記分析対象範囲に含まれない第２状態の場合に前記演算を行わない、ことを特徴とする。
【０００９】
この構成によれば、測定値の変化に応じて、予め定めた分析対象範囲の判断基準に基づき、演算部を稼働させたり不稼働としたりといった制御を、人手によらずに自動で行うことができる。
【００１０】
［２］また、本発明の一態様は、上記の音声分析装置において、所定のタイミングにおいて前記測定部が出力する数値を記憶する測定値記憶部、をさらに具備し、前記演算部は、前記測定値から前記測定値記憶部に記憶された数値を減じて得られる差分、あるいは当該差分の絶対値が、所定値以上であるか否かに応じて、前記測定値が前記分析対象範囲に含まれるか否かを判定するものである。
【００１１】
この構成によれば、測定値記憶部は、所定のタイミングの測定値を記憶する。また、測定値記憶部が記憶する数値に基づいて、制御部が、直近の測定値が分析対象範囲（異常範囲）に含まれるか否かを判定し、演算部を稼働させるか不稼働とするかを制御する。
【００１２】
［３］また、本発明の一態様は、上記の音声分析装置において、所定の閾値を記憶する閾値記憶部、をさらに具備し、前記演算部は、前記閾値に基づいて、前記測定値が前記分析対象範囲に含まれるか否かを判定するものである。
【００１３】
この構成によれば、所定の閾値に基づき、前記の制御部が判断をすることができる。また、入力部により、ユーザー等が適宜、閾値を設定できる。
【００１４】
［４］また、本発明の一態様は、上記の音声分析装置において、前記測定値に関する正常値を記憶する正常値記憶部、をさらに具備し、前記演算部は、前記測定部が出力した過去の前記測定値に基づいて正常値を決定するとともに前記正常値を前記正常値記憶部に書き込み、前記第１状態から前記第２状態に遷移するか否かを判定する場合には、前記正常値記憶部から読み出した前記正常値と、前記測定値との関係に基づく判断を行うものである。
【００１５】
この構成によれば、測定値に関する正常値を記憶しておくことができる。演算スイッチがオンのときに、制御部は、演算スイッチをオフに切り替えるか否かを、上記の正常値に基づいて判断することができる。演算スイッチをオフからオンにするか否かの判断と、オンからオフにするか否かの判断とで、異なる基準に基づく判断を行うことが可能となる。
【００１６】
［５］また、本発明の一態様は、上記の音声分析装置において、前記測定部が出力する前記時系列データと、前記演算部による演算結果とを出力する出力部を具備するものである。
【００１７】
この構成によれば、外部の装置等において、前記時系列データと前記演算結果とを利用した処理を行う事が可能となる。
【００１８】
［６］また、本発明の一態様は、上記の音声分析装置において、前記演算部を稼働させるときにオンとし前記演算部を不稼働とさせるときにオフとする演算スイッチと、前記第１状態の場合に前記演算スイッチをオンにして、前記第２状態の場合に前記演算スイッチをオフにするよう制御する制御部と、を具備し、前記演算部は、前記演算スイッチのオンに基づいて前記演算を行い、前記演算スイッチのオフに基づいて前記演算を行わない、という処理をするものである。
【００１９】
この構成によれば、制御部は、測定値の状態（第１状態、第２状態）に応じて、演算部を稼働させるか不稼働とするかを制御する。
【００２０】
［７］また、本発明の一態様は、音声信号を取得する音声取得過程と、前記音声信号に基づき音量を表す数値の時系列データを出力する測定過程と、前記測定過程で出力する前記時系列データを分析するための演算を行う演算過程と、を含み、前記演算過程は、前記測定過程が出力する数値である測定値が分析対象と判断される範囲である分析対象範囲に含まれる第１状態の場合に前記演算を行い、前記測定値が前記分析対象範囲に含まれない第２状態の場合に前記演算を行わない、ことを特徴とする音声分析方法である。
【００２１】
［８］また、本発明の一態様は、コンピューターを、音声信号を取得する音声取得部と、前記音声信号に基づき音量を表す数値の時系列データを出力する測定部と、前記測定部が出力する前記時系列データを分析するための演算を行う演算部と、を具備し、前記演算部は、前記測定部が出力する数値である測定値が分析対象と判断される範囲である分析対象範囲に含まれる第１状態の場合に前記演算を行い、前記測定値が前記分析対象範囲に含まれない第２状態の場合に前記演算を行わない、音声分析装置として機能させるためのプログラムである。
【００２２】
［９］また、本発明の一態様は、コンピューターを、音声信号を取得する音声取得部と、前記音声信号に基づき音量を表す数値の時系列データを出力する測定部と、前記測定部が出力する前記時系列データを分析するための演算を行う演算部と、を具備し、前記演算部は、前記測定部が出力する数値である測定値が分析対象と判断される範囲である分析対象範囲に含まれる第１状態の場合に前記演算を行い、前記測定値が前記分析対象範囲に含まれない第２状態の場合に前記演算を行わない、音声分析装置として機能させるためのプログラム、を記録したコンピューター読み取り可能な記録媒体である。
【発明の効果】
【００２３】
本発明によれば、電力消費を抑制して音声の分析をすることができる、または、異常時などの必要な期間の音声の分析を的確に行うことができる。
【図面の簡単な説明】
【００２４】
【図１】本発明の第１実施形態による音声分析装置の概略機能構成を示すブロック図である。
【図２】第１実施形態による制御を説明するための図であり、測定部が測定した音量測定値の時間推移の一例を示すグラフである。
【図３】第２実施形態による音声分析装置の概略機能構成を示すブロック図である。
【図４】第２実施形態による制御を説明するための図であり、測定部が測定した音量測定値の時間推移の一例を示すグラフである。
【図５】第３実施形態による音声分析装置の概略機能構成を示すブロック図である。
【図６】第４実施形態による音声分析装置の概略機能構成を示すブロック図である。
【図７】第５実施形態による音声分析装置の概略機能構成を示すブロック図である。
【図８】第５実施形態による制御を説明するための図であり、測定部が測定した音量測定値の時間推移の一例を示すグラフである。
【図９】第６実施形態による音声分析装置の概略機能構成を示すブロック図である。
【発明を実施するための形態】
【００２５】
次に、本発明の複数の実施形態について、図面を参照しながら説明する。
【００２６】
［第１実施形態］
図１は、本実施形態による音声分析装置の概略機能構成を示すブロック図である。図示するように、音声分析装置１０１は、マイクロフォン２と、音声取得部３と、測定部４と、演算部６と、出力部７と、入力部８と、測定値記憶部９と、制御部１１とを含んで構成される。制御部１１は、演算スイッチ５と、閾値記憶部１０とを含むものである。
なお、音声分析装置は「音量計」とも呼ばれる。
上記の各機能部は、例えば、電子回路を用いて実現される。また、各機能部は、必要に応じて、半導体メモリーや磁気ハードディスク装置などといった記憶手段を内部に備えてよい。また、各機能を、コンピューターおよびソフトウェアによって実現するようにしてもよい。
【００２７】
音源１は、音声分析装置１０１が分析する対象である音の音源である。音声分析装置１０１が対象とする音源の種類は特に限定されない。例えば、音源は、工場やプラントにおける所定の箇所の装置や設備等の稼働音である。ここで、プラントとしては、化学等の工業プラントの他、ガス田や油田等の井戸元やその周辺を管理制御するプラント、水力・火力・原子力等の発電を管理制御するプラント、太陽光や風力等の環境発電を管理制御するプラント、上下水やダム等を管理制御するプラント等がある。あるいは、例えば、音源は、建物や設備等を建設する現場における機械等の稼働音である。
マイクロフォン２は、その置かれた環境における音を捉え、電気信号に変換する。マイクロフォン２は、音声分析装置１０１に内蔵されている形態であっても、外付けの形態であってもよい。
音声取得部３は、マイクロフォン２から出力される音声の信号を取得する。音声取得部３が、マイクロフォン２の代わりに何らかの装置から、音を表すアナログ信号あるいはデジタル信号を取得するものであってもよい。
【００２８】
測定部４は、音声取得部３が取得した音声の音量レベルを所定のサンプリング周波数で測定する。つまり、測定部４は、取得された音声信号に基づき、音量を表す数値の時系列データを出力する。ここで、サンプリング周波数は、適宜定められる。一例として、可聴域の音を測定および分析の対象とするためには、４０ｋＨｚから５０ｋＨｚまでの範囲内のサンプリング周波数を用いる。測定部４は、測定した音量レベルのデータ（測定値）を、演算部６や、出力部７や、制御部１１に渡す。
測定部４が複数の種類の測定値を出力するようにしてもよい。例えば、測定部４が、周波数解析等の分析処理用には比較的高いサンプリング周波数で測定された測定値を出力し、音量に基づく制御の判断のためには比較的低いサンプリング周波数で測定された測定値を出力するようにする。
【００２９】
演算スイッチ５は、演算部６による処理を行わせるか否かを切り替えるためのスイッチである。演算スイッチ５は、オン（on）またはオフ（off）のいずれかの状態をとる。具体的には、演算スイッチ５は、演算部６を稼働させるときにオンとし、演算部６を不稼働とさせるときにオフとするためのスイッチである。
【００３０】
演算部６は、音声取得部３が取得した音声を分析する処理を行う。演算部６は、具体的には、音量のレベルを表す時系列の数値データを測定部４から取得し、その音声の分析処理（具体例としては、周波数解析）を行う。一例として、演算部６は、高速フーリエ変換処理（ＦＦＴ）を行う。つまり、演算部６は、測定部４が出力する数値の時系列データを分析するための演算を行う。演算部６が取得する時系列の数値データは、所定のサンプリング周波数によって得られたものである。演算部６は、演算スイッチ５がオンの状態のときに稼働し（上記の分析処理のための演算を行い）、演算スイッチ５がオフの状態のときには稼働しない（演算を行わない）。演算部６は、周波数解析の処理の結果として、細かく区切られた周波数帯域ごとのパワーのデータを出力する。演算部６は、処理結果のデータを出力部７に渡す。
【００３１】
出力部７は、測定部４から渡される音量測定値のデータや、演算部６が稼働している場合に演算部６から渡される周波数解析結果のデータを、音声分析装置の外部に出力する。出力部７は、例えば、有線通信または無線通信によって、音量測定値のデータや周波数解析結果のデータを外部の他の装置に送信する。また、出力部７が、磁気ハードディスク装置や半導体メモリーなどの記憶媒体に、音量測定値のデータや周波数解析結果のデータを書き出すようにしてもよい。
つまり、出力部７は、測定部４が出力する時系列データと、演算部６による演算結果とを、外部の装置等に出力する。
【００３２】
入力部８は、ユーザーからの入力を受け付ける。入力部８は、具体的には、ユーザーがタッチパネルの画面をタッチする操作や、キーボードを打鍵する操作や、マウスをクリックする操作等による入力を受け付ける。入力部８は、例えば、ユーザーが入力する閾値を制御部１１内の閾値記憶部１０に書き込む。言い換えれば、入力部８は、閾値記憶部１０が記憶する閾値を設定するための数値を外部から入力する。この閾値の意味については後で説明する。
【００３３】
測定値記憶部９は、測定部４が測定した結果として得られた数値のデータを、少なくとも一時的に記憶する。言い換えれば、測定値記憶部９は、所定のタイミングにおいて測定部４が出力する数値（過去に出力された数値）を記憶する。測定値記憶部９が記憶するデータは、制御部１１によって読み出される。測定値記憶部９にデータが書き込まれたり更新されたりするタイミングについては、後で説明する。
閾値記憶部１０は、制御部１１における判断処理で用いられる閾値を記憶する。閾値は、入力部８において入力される値である。閾値記憶部１０は、複数の閾値を記憶することもできる。閾値の具体的な種類や役割については、後で説明する。
【００３４】
制御部１１は、測定部４から渡されるデータや、測定値記憶部９から読み出したデータや、閾値記憶部１０に記憶されている閾値のデータに基づき、演算部６を稼働させるべき状況であるか否かを判断し、演算部６の稼働／不稼働を制御する。具体的には、制御部１１は、判断結果に基づき、演算スイッチ５をオンまたはオフする。言い換えれば、制御部１１は、測定部４が出力する数値である測定値が分析対象と判断される範囲である分析対象範囲（異常範囲）に含まれる場合に演算スイッチ５をオンにして、測定値が分析対象範囲に含まれない場合に演算スイッチ５をオフにするよう制御する。
また、制御部１１は、測定部４によって出力された測定値から、測定値記憶部９に記憶された数値を減じて得られる差分、あるいは当該差分の絶対値が、所定の範囲であるか否か（例えば、所定値以上であるか否か）に応じて、前記測定値が前記分析対象範囲に含まれるか否かを判定する。
また、制御部１１は、閾値記憶部１０で記憶される閾値に基づいて、測定値が分析対象範囲（異常範囲）に含まれるか否かを判定するものである。
なお、制御部１１に代わって、演算部６が、測定部４によって出力された測定値から、測定値記憶部９に記憶された数値を減じて得られる差分、あるいは当該差分の絶対値が、所定の範囲であるか否か（例えば、所定値以上であるか否か）に応じて、前記測定値が前記分析対象範囲に含まれるか否かを判定してもよい。また、制御部１１に代わって、演算部６が、閾値記憶部１０で記憶される閾値に基づいて、測定値が分析対象範囲に含まれるか否かを判定してもよい。これらの場合には、演算部６は、測定値が分析対象範囲に含まれるか否かについての自身の判定の結果に基づいて、分析処理のための演算を行うか否かを制御する。
【００３５】
ここで、本実施形態の特徴として、制御部１１による制御の方法について説明する。
なお、変数ｖは音量の測定値を表す。変数ｖの値の単位は、例えば、音圧レベルのデシベル（ｄＢ）値や、このデシベル値を基に算出されるホン（phon）である。測定値の推移の具体例については、後で図２を参照しながら説明する。
なお、以下の説明において、時間長Ｔｉｎｉや、音量に関するＶｓｔａ，Ｖｍｅｍ，Ｖｔｈの値などは、各々、適切に定められる。
【００３６】
音声分析装置１０１の起動直後の初期状態においては、制御部１１は、演算スイッチ５がオフになるように制御する。つまり、初期状態において、演算部６は稼働していない。
音声分析装置１０１の起動直後の初期状態においては、測定値記憶部９には過去の測定値は記憶されていない。ただし、音声分析装置１０１の起動直後であっても、それ以前に音声分析装置１０１が稼働していた実績がある場合には、そのときの過去の測定値を測定値記憶部９が維持していてもよい。
音声分析装置１０１の起動後において、所定の時間Ｔｉｎｉの間、音量ｖの変動幅が所定の量Ｖｓｔａ以下である状態が続いた場合、測定値記憶部９は、所定の音量の値を記憶する。ここで測定値記憶部９が記憶する値は、例えば、その時間Ｔｉｎｉの期間の最後の時点（所定のタイミング）（ただし、代わりに、当該期間の他の時点を用いてもよい）における音量ｖの値である。測定値記憶部９がその時点で記憶した測定値を、Ｖｍｅｍとする。
【００３７】
制御部１１は、測定部４が現時点において測定した測定結果（変数ｖの値）と、測定値記憶部９が保持している過去の測定結果（Ｖｍｅｍ）とに基づく判断を行う。一例として、制御部１１は、現時点の測定結果ｖと過去の測定結果Ｖｍｅｍとの差、即ち（ｖ−Ｖｍｅｍ）が、所定の閾値Ｖｔｈ以上であるか否かを判定する。即ち、制御部１１は、下の式（１）の真偽（true/false）を判定する。
【００３８】
式（１）  （ｖ−Ｖｍｅｍ）≧Ｖｔｈ
【００３９】
ただし、式（１）の代わりに他の式による判断を制御部１１が行うようにしてもよい。その一例として、制御部１１が、現時点の測定結果ｖと過去の測定結果Ｖｍｅｍとの差の絶対値が、所定の閾値Ｖｔｈ以上であるか否かを判定する。この場合、制御部１１は、下の式（２）の真偽を判定する。
【００４０】
式（２）  ｜ｖ−Ｖｍｅｍ｜≧Ｖｔｈ
【００４１】
ただし、式（２）において、「｜｜」は、数値の絶対値を表す。さらに別の基準によって制御部１１が真偽を判定するようにしてもよい。以下では、代表として式（１）に言及しながら説明を続ける。
【００４２】
式（１）が真となったタイミングで、制御部１１は、演算スイッチ５をオンに切り替える。つまり、そのタイミングで、制御部１１は、演算部６が稼働するように制御する。
その後、式（１）が真であり続ける間、制御部１１は、演算スイッチ５をオンに維持する。つまり、制御部１１は、演算部６が稼働し続けるように制御する。
その後、式（１）が偽となった場合、そのタイミングで、制御部１１は、演算スイッチ５をオフに切り替える。つまり、そのタイミングで、制御部１１は、演算部６が不稼働となるように制御する。
【００４３】
以上説明したように制御部１１が現時点の音量測定値ｖに応じた制御を行うことにより、ユーザーが入力部８から指示しなくても、自動で制御部１１は適切に演算スイッチ５のオンあるいはオフの制御を行う。つまり、制御部１１は、自動的に、演算部６を稼働させたり不稼働にしたりという制御を行う。これによって、演算部６が不稼働であれば消費電力を抑制することができる。
【００４４】
図２は、測定部４が測定した音量測定値ｖの時間推移の一例を示すグラフである。このグラフにおいて、横軸（ｔ）は時刻、縦軸（ｖ）は音量測定値に、それぞれ対応する。以下、このグラフに沿って説明する。
【００４５】
時刻Ｔ０において、音声分析装置１０１が起動された。この時点においては、測定値記憶部９は、まだ過去の測定値を保持していない。また、制御部１１は、演算スイッチ５をオフにしている。
時刻Ｔ０からＴ１までの間に時間Ｔｉｎｉが経過した。また、時刻Ｔ０からＴ１までの間の期間において、音量測定値ｖの変動幅が所定量Ｖｓｔａ以下である状態が続いた。したがって、時刻Ｔ１のタイミングにおいて、測定値記憶部９は、時刻Ｔ１における音量測定値ｖの値を記憶する。つまり、時刻Ｔ１以後、測定値記憶部９は、過去の測定値として値Ｖｍｅｍを内部に保持する。このような条件において測定値記憶部９に記憶される値Ｖｍｅｍは、通常時（正常時）の音量のレベルであると想定することができる。
【００４６】
その後、制御部１１は、前記の式（１）の真偽を判定し続ける。例えば、図中の時刻Ｔ２において、音量測定値ｖは一時的に上昇するが、時刻Ｔ２およびその近傍においては、式（１）が真となることはない。即ち、音量測定値ｖから測定値記憶部９が記憶する値Ｖｍｅｍを減じた値（差分）が閾値Ｖｔｈ以上となっていないからでる。つまり、この間、制御部１１は、演算スイッチ５の状態をオフのまま維持する。
時刻Ｔ３において、時刻Ｔ１以後で初めて、式（１）が真となる。即ち、音量測定値ｖから測定値記憶部９が記憶する値Ｖｍｅｍを減じた値が、閾値Ｖｔｈ以上となる。よって、時刻Ｔ３において、制御部１１は、演算スイッチ５の状態をオンに切り替える。
その後、式（１）が真である状態が維持される。これにしたがって、制御部１１は、演算スイッチ５の状態をオンに維持する。
時刻Ｔ４において、式（１）が偽の状態となる。即ち、音量測定値ｖから測定値記憶部９が記憶する値Ｖｍｅｍを減じた値が、閾値Ｖｔｈ未満となる。よって、時刻Ｔ４において、制御部１１は、演算スイッチ５の状態をオフに切り替える。
時刻Ｔ４以後、図示するグラフの範囲内においては、式（１）が偽である状態が維持される。これにしたがって、制御部１１は、演算スイッチ５の状態をオフに維持する。
【００４７】
以上の例のように、音量測定値ｖの値に応じて、制御部１１は演算スイッチ５の状態を適宜切り替える。これに伴って、演算部６が稼働状態（演算スイッチ５がオンのとき）になったり不稼働状態（演算スイッチ５がオフのとき）になったりする。
【００４８】
本実施形態によれば、以上説明したように、制御部１１は、直近の音量測定結果（測定値ｖ）と測定値記憶部９に保持された過去の測定値Ｖｍｅｍとを比較する。そして、比較結果である差分が閾値を超えた場合（式（１）が真の場合）には異常が発生していると判断し、制御部１１の制御に基づき、演算部６は自動的に分析処理を実行する。つまり、ユーザーによる操作を行わなくても、分析処理の実行または不実行を自動的に切り替えることができる。これにより、正常時などで不要なときには演算部６を稼働させずに済ませることができるので、演算部６の消費電力を抑制できる。また、消費電力を低く維持しながら、異常時または異常の可能性が高いと考えられるときには、演算部６を自動的に稼働させることができ、解析漏れをなくすことが可能となる。
【００４９】
［第２実施形態］
次に、本発明の第２実施形態について説明する。なお、前実施形態において既に説明した事項については以下において説明を省略する場合がある。ここでは、本実施形態に特有の事項を中心に説明する。
【００５０】
図３は、第２実施形態による音声分析装置１０２の概略機能構成を示すブロック図である。図示するように、音声分析装置１０２は、マイクロフォン２と、音声取得部３と、測定部４と、演算部６と、出力部７と、入力部８と、制御部１２とを含んで構成される。制御部１２は、演算スイッチ５と、閾値記憶部１０とを含むものである。
本実施形態による音声分析装置１０２は、第１実施形態の音声分析装置１０１が有していた測定値記憶部９を持たない。また、本実施形態による制御部１２は、第１実施形態の制御部１１とは異なる判断基準による判断と、その判断結果に基づく制御を行う。
本実施形態においても、入力部８は、閾値記憶部１０が記憶する閾値を設定するための数値を外部から入力する。また、本実施形態では、入力部８は、例えば、ユーザーによる操作にしたがい、演算スイッチ５のオン／オフの状態を切り替える。
【００５１】
本実施形態では、過去の測定値の値を記憶する測定値記憶部を持たないため、制御部１２は、測定部４による直近の音量測定値（ｖ）と、閾値記憶部１０に記憶されている閾値との比較による判断を行う。なお、ユーザーの操作に基づいて、入力部８は、閾値記憶部１０に適切な閾値を書き込んでおく。
【００５２】
具体的には、制御部１２は、測定部４による現時点の測定結果である測定値ｖと、予め設定された所定の閾値Ｖｔｈ２とを比較し、測定値ｖが閾値Ｖｔｈ２以上であるか否かを判定する。即ち、制御部１２は、下の式（３）の真偽を判定する。
【００５３】
式（３）  ｖ≧Ｖｔｈ２
【００５４】
ただし、式（３）の代わりに、下の式（４）の真偽を判定するようにしてもよい。
【００５５】
式（４）  ｖ≦Ｖｔｈ２
【００５６】
つまり、本実施形態では音声分析装置１０２は測定値記憶部を持たず、制御部１２は、直近の測定値と過去の測定値との差分ではなく、直近の測定値そのものを、閾値を比較する点が特徴である。つまり、第１実施形態では正常時と想定される時の測定結果を基準としたときの相対的な音量変化に基づいて演算スイッチ５を切り替えるのに対し、本実施形態では、測定結果である音量自体の大小に基づいて演算スイッチ５を切り替える。
【００５７】
制御部１２は、式（３）（これに代わる他の式を用いる場合も同様。以下においても同様。）が偽のときには、即ち、測定値ｖが正常値であって、閾値Ｖｔｈ２未満のときには、演算スイッチ５がオフになるようにする。つまり、制御部１２は、演算部６が稼働しないように制御する。
制御部１２は、式（３）が真のときには、即ち、測定値ｖが異常値であって、閾値Ｖｔｈ２以上のときには、演算スイッチ５がオンになるようにする。つまり、制御部１２は、演算部６が稼働して周波数解析処理を行うように制御する。
【００５８】
図４は、測定部４が測定した音量測定値ｖの時間推移の一例を示すグラフである。このグラフにおいて、横軸（ｔ）は時刻、縦軸（ｖ）は音量測定値に、それぞれ対応する。以下、このグラフに沿って説明する。
時刻Ｔ１０において、閾値記憶部１０には、既に閾値Ｖｔｈ２が設定されている。
時刻Ｔ１０の時点では、式（３）は偽である。つまり、制御部１２は、演算スイッチ５をオフにしている。
時刻Ｔ１０以後、時刻Ｔ１１が到来するまでの間は、式（３）は偽である。つまり、制御部１２は、演算スイッチ５がオフの状態を維持している。
時刻Ｔ１１において、測定値ｖが閾値Ｖｔｈ２以上となる。即ち、式（３）が真となる。このタイミングで、制御部１２は、演算スイッチ５をオンに切り替える。
時刻Ｔ１１以後、時刻Ｔ１２が到来するまでの間は、式（３）は真である。つまり、制御部１２は、演算スイッチ５がオンの状態を維持している。
時刻Ｔ１２より後では、測定値ｖが閾値Ｖｔｈ２未満となる。即ち、式（３）が偽となる。このタイミングで、制御部１２は、演算スイッチ５をオフに切り替える。
【００５９】
以上の例のように、音量測定値ｖの値に応じて、制御部１２は演算スイッチ５の状態を適宜切り替える。これに伴って、演算部６が稼働状態（演算スイッチ５がオンのとき）になったり不稼働状態（演算スイッチ５がオフのとき）になったりする。
【００６０】
本実施形態によれば、制御部１２は、現時点の測定値ｖと設定された閾値Ｖｔｈ２とを比較する。測定値ｖが閾値Ｖｔｈ２以上となった場合、制御部１２は演算スイッチ５をオンにするため、演算部６が自動的に稼働を開始する。逆に測定値ｖが閾値Ｖｔｈ２未満となった場合、制御部１２は演算スイッチ５をオフにするため、演算部６は自動的に不稼働状態に移行する。このように、ユーザーが入力部８を操作することによって演算スイッチ５の状態を変えなくても、自動的に、分析処理（周波数解析処理）が実行されたり中止されたりする。また、演算スイッチ５がオフの場合には、演算部６の消費電力を抑制できる。
【００６１】
［第３実施形態］
次に、本発明の第３実施形態について説明する。なお、前実施形態までにおいて既に説明した事項については以下において説明を省略する場合がある。ここでは、本実施形態に特有の事項を中心に説明する。
【００６２】
図５は、第３実施形態による音声分析装置１０３の概略機能構成を示すブロック図である。図示するように、音声分析装置１０３は、マイクロフォン２と、音声取得部３と、測定部４と、演算部６と、出力部７と、測定値記憶部９と、制御部１３とを含んで構成される。制御部１３は、演算スイッチ５と、閾値記憶部１０とを含むものである。
【００６３】
本実施形態による音声分析装置１０３は、第１実施形態や第２実施形態においては存在していた入力部８を持たない。したがって、本実施形態では、閾値記憶部１０には、ユーザーの操作等によって閾値を設定することはできない。なお、閾値記憶部１０には、予め閾値を設定しておくようにする。また、本実施形態では、演算スイッチ５は、ユーザーの操作等によって状態を切り替えることはできず、制御部１３の判断によってのみ切り替えられる。
【００６４】
第１実施形態では入力部８による閾値（閾値記憶部１０）の設定変更が可能であったのに対して、本実施形態による音声分析装置１０３は、予め閾値記憶部１０が保持している閾値のみを用いて処理を行う。
【００６５】
上記の点を除くと、制御部１３による制御は、第１実施形態における制御部１１の制御と同様である。したがって、ここではその詳細な説明を省略する。
【００６６】
本実施形態によれば、第１実施形態と同様の制御を行う事が可能である。また、本実施形態によれば、入力部を持たずに音声分析装置を構成することができる。
【００６７】
［第４実施形態］
次に、第４実施形態について説明する。なお、前実施形態までにおいて既に説明した事項については以下において説明を省略する場合がある。ここでは、本実施形態に特有の事項を中心に説明する。
【００６８】
図６は、第４実施形態による音声分析装置１０４の概略機能構成を示すブロック図である。図示するように、音声分析装置１０４は、マイクロフォン２と、音声取得部３と、測定部４と、演算部６と、出力部７と、制御部１４とを含んで構成される。制御部１４は、演算スイッチ５と、閾値記憶部１０とを含むものである。
【００６９】
本実施形態による音声分析装置１０４は、第１実施形態においては存在していた入力部８を持たず、また、第１実施形態においては存在していた測定値記憶部９をも持たない。言い換えれば、音声分析装置１０４は、第２実施形態の音声分析装置１０２から、入力部８を除いた構成を有する。
【００７０】
本実施形態の音声分析装置１０４は入力部を持たないため、閾値記憶部１０には、ユーザーの操作等によって閾値を設定することはできない。閾値記憶部１０には、予め閾値を設定しておくようにする。また、本実施形態では、演算スイッチ５は、ユーザーの操作等によって状態を切り替えることはできず、制御部１４の判断によってのみ切り替えられる。
【００７１】
第２実施形態では入力部８による閾値（閾値記憶部１０）の設定変更が可能であったのに対して、本実施形態の音声分析装置１０４は、予め閾値記憶部１０が保持している閾値のみを用いて処理を行う。
【００７２】
上記の点を除くと、制御部１４による制御は、第２実施形態における制御部１２の制御と同様である。したがって、ここではその詳細な説明を省略する。
【００７３】
本実施形態によれば、第２実施形態と同様の制御を行う事が可能である。また、本実施形態によれば、入力部を持たずに音声分析装置を構成することができる。
【００７４】
［第５実施形態］
次に、第５実施形態について説明する。なお、前実施形態までにおいて既に説明した事項については以下において説明を省略する場合がある。ここでは、本実施形態に特有の事項を中心に説明する。
【００７５】
図７は、第５実施形態による音声分析装置１０５の概略機能構成を示すブロック図である。図示するように、音声分析装置１０５は、マイクロフォン２と、音声取得部３と、測定部４と、演算部６と、出力部７と、入力部８と、測定値記憶部９と、制御部１５と、正常値記憶部２１とを含んで構成される。制御部１５は、演算スイッチ５と、閾値記憶部１０とを含むものである。
音声分析装置１０５の特徴は、正常値記憶部２１を有する点である。正常値記憶部２１は、音量測定値の過去の正常値を記憶するものである。制御部１５が、正常値記憶部２１のデータを読み書きする。
本実施形態では、第２実施形態と同様に、入力部８は、閾値記憶部１０が記憶する閾値を設定するための数値を外部から入力するとともに、例えば、ユーザーによる操作にしたがい、演算スイッチ５のオン／オフの状態を切り替える。
【００７６】
本実施形態において、制御部１５は下記の制御を行う。
制御部１５は、測定部４が出力した過去の測定値に基づいて正常値を決定するとともにその正常値を正常値記憶部２１に書き込む。制御部１５は、演算スイッチ５がオンの状態のときに演算スイッチをオフに切り替える（第１状態から第２状態への遷移）か否かを判定する場合には、正常値記憶部２１から読み出した正常値と、前記測定値との関係に基づく判断を行う。
より具体的には、次の通りである。測定部４から制御部１５に測定値のデータが渡されたとき、制御部１５は、演算スイッチ５の状態を確認する。制御部１５は、演算スイッチ５の状態に応じて、以下の動作をする。なお、値Ｖｓｔａ，Ｖｍｅｍ，Ｖｔｈのそれぞれについては、第１実施形態で説明したとおりである。ここでは、値ＶｓｔａおよびＶｔｈは、適宜与えられている。また、下の説明において、測定値記憶部９には値Ｖｍｅｍがすでに書き込まれている。
なお、制御部１５に代わって、演算部６が、測定部４が出力した過去の測定値に基づいて正常値を決定するとともにその正常値を正常値記憶部２１に書き込み、上記の第１状態から第２状態に遷移するか否かを判定してもよい。この場合には、演算部６が、正常値記憶部２１から読み出した正常値と、前記測定値との関係に基づく判断を行う。この場合には、演算部６は、測定値が分析対象範囲に含まれる（第１状態）か否かについての自身の判定の結果に基づいて、分析処理のための演算を行うか否かを制御する。
【００７７】
演算スイッチ５がオフの状態の場合、制御部１５は、第１実施形態の場合と同様の動作をする。即ち、制御部１５は、式（１）の真偽を判断する（式（１）以外を用いる場合も同様）。式（１）が真のとき、制御部１５は、演算スイッチ５をオンに切り替える。式（１）が偽のとき、制御部１５は、演算スイッチ５の状態をオフのまま維持する。
なお、本実施形態においては、制御部１５が演算スイッチ５をオフからオンに切り替える際に、測定値記憶部９に記憶されている値（過去の測定結果の値）Ｖｍｅｍを正常値記憶部２１に書き込む。正常値記憶部２１が保持する値をＶｎｏｒｍａｌとする。
一方、演算スイッチ５がオンの状態の場合、制御部１５は、測定部４から受け取った直近の測定値と、正常値記憶部２１が記憶している値とを比較し、比較結果に応じた制御を行う。このとき制御部１５は、下の式（５）または式（６）の真偽を判定する。
【００７８】
式（５）  ｖ≧Ｖｎｏｒｍａｌ
式（６）  ｜ｖ−Ｖｎｏｒｍａｌ｜≧Ｖｔｈ３
【００７９】
ここで、式（５）は式（１）に対応するものである。つまり、上で式（１）を用いた判定が行われる場合にはここでは式（５）が用いられる。一方、式（６）は式（２）に対応するものである。つまり、上記で式（２）を用いた判定が行われる場合にはここでは式（６）が用いられる。なお、式（６）におけるＶｔｈ３はさらに別の閾値である。閾値Ｖｔｈ３の値も、適宜設定される。
そして、制御部１５は、式（５）または式（６）（いずれか、判定に用いたほうの式）が偽であれば、演算スイッチ５をオフに切り替える。制御部１５は、式（５）または式（６）が真であれば、演算スイッチ５をオンの状態に維持する。
【００８０】
図８は、測定部４が測定した音量測定値ｖの時間推移の一例を示すグラフである。このグラフにおいて、横軸（ｔ）は時刻、縦軸（ｖ）は音量測定値に、それぞれ対応する。以下、このグラフに沿って説明する。
【００８１】
時刻Ｔ２０から、音声分析装置１０５による測定を開始する。
時刻Ｔ２０の時点で、測定値記憶部９には過去の測定値にＶｍｅｍが記憶されている。また、閾値Ｖｔｈの値も既に設定されている。また、演算スイッチ５はオフの状態である。
時刻Ｔ２０の後、測定値ｖは変動するが、式（１）が偽である状態がしばらく続く。
時刻Ｔ２１において、制御部１５は、式（１）が真であると判定する。したがって、このタイミングで、制御部１５は、演算スイッチ５をオンに切り替える。また、制御部１５は、この時点における測定値記憶部９に記憶されている値Ｖｍｅｍを、正常値として、正常値記憶部２１に書き込む。即ち、Ｖｎｏｒｍａｌ＝Ｖｍｅｍとする。
時刻Ｔ２１の後、測定値ｖは、（Ｖｍｅｍ＋Ｖｔｈ）の値を上回る状態が続く。この間、制御部１５は、演算スイッチ５をオンの状態で維持する。
時刻Ｔ２２以後、測定値ｖは、（Ｖｍｅｍ＋Ｖｔｈ）の値を下回る。即ち、式（１）は偽となる。しかしながら、前述の通り、演算スイッチ５がオンである場合、制御部は、式（５）に基づく判定を行う。時刻Ｔ２２以後も、まだ式（５）は真である。
時刻Ｔ２３において、測定値ｖは、値Ｖｎｏｒｍａｌと等しくなる。また、時刻Ｔ２３の後、測定値ｖはＶｎｏｒｍａｌを下回る。即ち、式（５）が偽となる。式（５）が偽となったとき、制御部１５は、演算スイッチ５をオフに切り替える。
時刻Ｔ２３より後は、演算スイッチ５がオフの状態であるので、制御部１５は、前述の通り、式（１）によって演算スイッチ５を切り替えるか否かの判断を行う。つまり、時刻Ｔ２４より後には式（５）が真となるものの、式（１）が偽であるため、制御部１５は、演算スイッチ５をオフの状態で維持する。
【００８２】
以上の例のように、音量測定値ｖの値に応じて、制御部１５は演算スイッチ５の状態を適宜切り替える。これに伴って、演算部６が稼働状態（演算スイッチ５がオンのとき）になったり不稼働状態（演算スイッチ５がオフのとき）になったりする。
以上説明したように、本実施形態の制御部１５は、演算スイッチ５のオフからオンへの切り替えを行うか否かの判断と、オンからオフへの切り替えを行うか否かの判断を、異なる基準によって行う。つまり、音声分析装置１０５は、測定値ｖと演算スイッチ５の状態（即ち、演算部６の稼働／不稼働の状態）との関係においてヒステリシスを持つ。これにより、制御部１５は、演算スイッチ５をオフからオンに切り替える場合にも、オンからオフに切り替える場合にも、より慎重な判断基準に基づく制御を行う。即ち、図８の例を参照してもわかるように、それまで正常であった測定値が異常であると判定するための基準を十分に高くし、それまで異常であった測定値が正常であると判定するための基準を十分に低くしている。これによると、制御部１５は、演算スイッチのオン／オフの状態のチャタリングを防ぐことができる。即ち、音声分析装置の動作が安定する。
【００８３】
本実施形態によれば、演算スイッチのオフからオンへの切り替えと、オンからオフへの切り替えを、異なる基準で判断することができる。また、正常値を記憶しておき、その正常値に基づく判断により、制御を行うことが可能となる。
【００８４】
［第５実施形態の第１変形例］
第５実施形態では、正常値記憶部２１には、所定のタイミングにおける測定値記憶部９に記憶されている値（過去の測定値の値）が、制御部１５によって書き込まれていた。
その変形例として、他の方法によって求められた正常値（正常であると推定される値）を、制御部１５が正常値記憶部２１に書き込んでもよい。
【００８５】
例えば、制御部１５は、過去の測定値ｖの統計に基づいて、最も頻度の高い測定値の範囲（各測定値が記憶されている場合には、記憶されている測定値の回数（個数）の多い範囲）に基づいて、正常値記憶部２１に書き込む値（正常値）を決定してもよい。具体的には、制御部１５は、測定値の等間隔の幅の範囲ごとに過去の統計に基づく頻度を予め求めておく。そして、最も頻度の高い範囲を選定する。そして、選定された範囲の中の代表値を正常値として決定する。代表値は、その範囲における中心値や、その範囲内における統計的中央値や、その範囲の下限値あるいは上限値などとしてよい。異常状態にある時間よりも正常状態にある時間のほうが圧倒的に多いという前提を用いれば、この決定方法は妥当である。つまり、制御部１５は、頻度に基づいて正常値を決定する。
また、例えば、制御部は、過去の測定値ｖの統計に基づいて、最も安定性の高い測定値の範囲に基づいて、正常値記憶部２１に書き込む値（正常値）を決定してもよい。具体的には、制御部１５は、所定時間内における測定値の変動幅と、そのときの測定値が属する範囲との相関関係を予め求めておく。そして、制御部は、その相関関係に基づいて、最も安定性の高い（即ち、所定時間内における変動幅の小さい）ときの測定値が属する範囲を選定する。そして、選定された範囲の中の代表値を正常値として決定する。所定の範囲の中の代表値を決定する方法については、上記に書いた方法を用いることができる。正常状態にある時間において測定値は安定している（所定時間内の変動の度合いが少ない）という前提を用いれば、この決定方法は妥当である。つまり、制御部１５は、安定性に基づいて正常値を決定する。
また、頻度に基づく決定方法と安定性に基づく決定方法との両方を用いることによって総合的に評価する方法で、正常値を決定するようにしてもよい。
さらに他の方法で正常値を決定するようにしてもよい。
【００８６】
［第５実施形態の第２変形例］
第５実施形態では、音声分析装置１０５は、入力部８と、測定値記憶部９と、正常値記憶部２１とを含む構成を有していた。
その変形例として、次のような音声分析装置を実施してもよい。
即ち、音声分析装置は、入力部８を持たず、測定値記憶部９と、正常値記憶部２１とを有する構成である。つまり、この音声分析装置は、第３実施形態の音声分析装置１０３に、正常値記憶部２１を付加した構成である。
この場合、制御部は、正常値記憶部２１に、過去の測定値に基づいて決定される正常値を書き込む。そして、制御部は、演算スイッチ５がオンからオフに切り替えるか否かを判断する際に、測定値と正常値との比較結果に基づく判断を行う。
【００８７】
［第６実施形態］
図９は、第６実施形態による音声分析装置の概略機能構成を示すブロック図である。図示するように、本実施形態による音声分析装置１０６は、音声取得部３と、測定部４と、演算部３６とを含んで構成される。本実施形態における音声取得部３および測定部４の各々は、前述の実施形態におけるそれと同様の機能を有するものである。即ち、音声取得部３は、音声信号を取得する。また、測定部４は、取得された音声信号に基づき音量を表す数値の時系列データを出力する。
【００８８】
本実施形態における演算部３６は、測定部４が出力する時系列データを分析するための演算を行う点、および測定部４が出力する数値である測定値が分析対象と判断される範囲である分析対象範囲に含まれる第１状態の場合に前記演算を行い、測定値が分析対象範囲に含まれない第２状態の場合に前記演算を行わないという点において、前述の実施形態における演算部と同様である。また、本実施形態では、演算部３６は、測定部４から出力される時系列の測定値に基づいて、自律的に、第１状態（測定部４が出力する数値である測定値が分析対象と判断される範囲である分析対象範囲に含まれる状態）であるか第２状態（その測定値が分析対象範囲に含まれない状態）であるかを判定する。そして、演算部３６は、その判定結果である状態に応じて、時系列データを分析するための演算を行うか否かを決定し、演算部３６自身の動作を制御する。即ち、演算部３６は、第１状態の場合に前記演算を行い、第２状態の場合に前記演算を行わない。この構成により、人の判断によらずに自動的に分析を行うか否かを制御できる。また、必要な電力消費量を抑制することができる。
【００８９】
以上説明したいずれかの実施形態によれば、音量に関する異常発生時に、人の判断によらずに自動的に判断を行うことができるため、周波数解析開始までの遅延を低減することができる。また、音の詳細な分析（周波数解析等）の実施を異常発生時に限定することができる。つまり、音声分析装置の消費電力量を抑制することができる。また、制御を自動的に行うため、人を配置して判断させる必要がない。
【００９０】
なお、上述した実施形態およびその変形例における音声分析装置の少なくとも一部の機能をコンピューターで実現することができる。その場合、この機能を実現するためのプログラムをコンピューター読み取り可能な記録媒体に記録して、この記録媒体に記録されたプログラムをコンピューターシステムに読み込ませ、実行することによって実現しても良い。なお、ここでいう「コンピューターシステム」とは、ＯＳや周辺機器等のハードウェアを含むものとする。また、「コンピューター読み取り可能な記録媒体」とは、フレキシブルディスク、光磁気ディスク、ＲＯＭ、ＣＤ−ＲＯＭ、ＤＶＤ−ＲＯＭ、ＵＳＢメモリー等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムを送信する場合の通信線のように、一時的に、動的にプログラムを保持するもの、その場合のサーバーやクライアントとなるコンピューターシステム内部の揮発性メモリーのように、一定時間プログラムを保持しているものも含んでも良い。また上記プログラムは、前述した機能の一部を実現するためのものであっても良く、さらに前述した機能をコンピューターシステムにすでに記録されているプログラムとの組み合わせで実現できるものであっても良い。
【００９１】
以上において説明した実施形態およびその変形例を、さらに次の変形例として実施してもよい。
上記の実施形態では、測定値が異常であると考えられるあるいは考え得る範囲に入ったときに演算スイッチをオンにして、演算部を稼働させた。しかしながら、演算スイッチをオンにさせるのは測定値が異常と考え得る範囲である場合に限定する必要はなく、測定値が所定の何らかの分析対象範囲に入ったときに演算スイッチをオンにして、演算部を稼働させるようにしてもよい。また、測定値が上記の分析対象範囲から外れた場合には、演算スイッチをオフにして演算部を不稼働とする。制御部は、このように、測定値が分析対象範囲であるか否かに応じて、制御を行う。
【００９２】
ここまでに述べた実施形態の音声分析装置を用いることにより、例えば、次のようなことを行える。例えば、プラントや工場等の設備の稼働現場あるいはプラントや工場や建物等を建設する現場において、通常時の音量レベルの測定値を記憶しておく。ここで、通常時の音量レベルとは、例えば上記の現場において機械や設備等が稼働する音が生じているときの音量である。音声分析装置は、音量のレベルに関して所定の変化があったときに、それが異常の兆候である可能性があるという想定に基づき、音声の詳細な分析を行う演算部を稼働させる。つまり、異常の可能性がある期間のみ、音の詳細な分析（一例として、実施形態に記載した周波数解析）を行う。また、その他の期間については、演算部を不稼働とし、音の詳細な分析の処理を行わない。これにより、消費電力量を削減しつつ、異常時の詳細分析の漏れをなくす。また、音声分析装置が、バッテリーで電力を供給するタイプの装置（例えば無線信号によってデータを送信する装置）の場合には、消費電力を抑制できるため、バッテリー交換する間隔が延びて、バッテリーの長寿命化が可能となす。
【００９３】
以上、この発明の実施形態および変形例について図面を参照して詳述してきたが、具体的な構成はこの実施形態に限られるものではなく、この発明の要旨を逸脱しない範囲の設計等も含まれる。
【産業上の利用可能性】
【００９４】
本発明は、音声に基づく分析を行う場合に利用可能である。例えば、各種の活動の現場における騒音に基づく分析を行う場合に利用可能である。但し、本発明の利用範囲はここに例示したものには限られない。
【符号の説明】
【００９５】
１…音源、２…マイクロフォン、３…音声取得部、４…測定部、５…演算スイッチ、６…演算部、７…出力部、８…入力部、９…測定値記憶部、１０…閾値記憶部、１１，１２，１３，１４，１５…制御部、２１…正常値記憶部、３６…演算部、１０１，１０２，１０３，１０４，１０５，１０６…音声分析装置
【図１】
2020034636.tif 000003
【図２】
2020034636.tif 000004
【図３】
2020034636.tif 000005
【図４】
2020034636.tif 000006
【図５】
2020034636.tif 000007
【図６】
2020034636.tif 000008
【図７】
2020034636.tif 000009
【図８】
2020034636.tif 000010
【図９】
2020034636.tif 000011